(57)【要約】【課題】複数の工具ビット（２０）を着脱可能に保管する保管部（１６）を有する手持式電動工具（２）において、簡単な操作により工具ビットの保管部を確実に開閉可能とする。【解決手段】本発明に係る手持式電動工具は、駆動部（６）からグリップ（８）を側方に突出させたハウジング（４）と、使用対象の工具ビット（２０）を選択的に把持するビットホルダ（２２）と、複数の工具ビット（２０）を電動工具（２）に対して着脱可能に保管する保管部（１６）とを具える。駆動部（６）からブリッジ（１０）をグリップ（８）と略平行に側方に突出させ、ブリッジ（１０）内に保管部としての保管部（１６）を形成する。保管部（１６）を開閉するための少なくとも１個のカバー（２４）を、ブリッジ（１０）に沿って摺動可能に配置し、カバー（２４）の一端位置で保管部（１６）を外部から閉鎖し、他端位置で保管部（１６）を外部に開放する。【選択図】図１
2004299050.tif 000002
【特許請求の範囲】
【請求項１】
駆動部（６）からグリップ（８）を側方に突出させたハウジング（４）と、使用対象の工具ビット（２０）を選択的に把持するビットホルダ（２２）と、複数の工具ビット（２０）を電動工具（２）に対して着脱可能に保管する保管部（１６）とを具える手持式電動工具であって、
駆動部（６）からグリップ（８）と略平行にブリッジ（１０）を側方に突出させ、該ブリッジ（１０）内に前記保管部（１６）を形成すると共に、該保管部（１６）を開閉するための少なくとも１個のカバー（２４）をブリッジ（１０）に沿って摺動可能に配置し、該カバー（２４）の一端位置で保管部（１６）を外部から閉鎖し、他端位置で保管部（１６）を外部に開放することを特徴とする手持式電動工具。
【請求項２】
請求項１記載の電動工具において、前記保管部（１６）に複数の第１凹所（３４）を設け、該第１凹所（３４）を電動工具（２）の送り方向（Ａ）と、ブリッジ（１０）の長手方向の双方に対して直角に配置すると共に、ブリッジ（１０）の第１側面（２８）に向けて開放させることを特徴とする手持式電動工具。
【請求項３】
請求項１又は２に記載の電動工具において、前記保管部（１６）に少なくとも１個の第２凹所（６２）を設け、該第２凹所（６２）をブリッジ（１０）の長手方向に対して平行に配置すると共にブリッジ（１０）の第２側面（３２）で開放させることを特徴とする手持式電動工具。
【請求項４】
請求項３記載の電動工具において、前記カバー（２４）を、ブリッジ（１０）の第１側面（２８）及び第２側面（３２）にそれぞれ配置した第１カバー部材（２６）及び第２カバー部材（３９）で構成し、両カバー部材（２６，３０）をブリッジ（１０）により個別的に摺動ガイドすることを特徴とする手持式電動工具。
【請求項５】
請求項１〜４の何れか一項に記載の電動工具において、少なくとも１個の凹所（３４，６２）にクランプ手段（５４）を配置することを特徴とする手持式電動工具。
【請求項６】
請求項１〜５の何れか一項に記載の電動工具において、前記カバー（２４）に少なくとも１個の係止手段（５０）を配置し、該係止手段（５０）は、閉鎖位置及び／又は開放位置において、ブリッジ（１０）に配置されている少なくとも１個の対応係止手段（５２）に対して係止可能とすることを特徴とする手持式電動工具。
【発明の詳細な説明】
【技術分野】
【０００１】
本発明は、電動ドリル及び／又は電動ドライバ等の手持式電動工具に関し、特に、駆動部からグリップを側方に突出させたハウジングと、使用対象の工具ビットを選択的に把持するビットホルダと、複数の工具ビットを電動工具に対して着脱可能に保持する保持手段とを具える電動工具に関するものである。
【背景技術】
【０００２】
電動ドリルや電動ドライバは、通常、形状及び寸法の異なる複数の工具ビットを用途に応じて選択的に装着して使用する。したがって、使用頻度の高い工具ビットを保持するための適当な保持部を電動工具に設けるのが望ましい。この場合には作業者が、使用すべき工具ビットを必要なときに直ちに電動工具から直接調達することができ、さらに、工具ビットを工具箱等の独立した保管容器内に保管する手間が省けるからである。
【０００３】
電動工具ハウジングに少なくとも１個の工具ビットを保持させるため、当業界では各種構造が採用されている。しかしながら、多くの場合には、電動工具の操作性又はそのコンパクト形状が、保持部に必要とされる構造スペースにより損なわれるのを回避するため、極めて限られた数の工具ビットしか保持できない問題点が指摘されている。
【０００４】
また、この種の保持部は、工具ビットに及ぼす保持力を厳格に設定可能とする必要もある。保持力が不十分である場合には、作動時に生じる振動又は衝撃条件下で工具ビットを確実に保持することが困難である。他方、保持力が過大である場合には、工具ビットの着脱に相当の労力を要することとなる。
【０００５】
このような問題点に鑑み、内部に十分な保管部を有する保管部を電動工具内部に配設することが提案されている。
【０００６】
例えば、ドイツ国登録実用新案第８７０３２６５号明細書（特許文献１）は、主グリップに加えて着脱可能な補助グリップを具える電動ドリルを記載している。この補助グリップは、クランプスリーブによりドリル本体のシャフト上に把持される。補助グリップは、ドライバビット用の環状保管部をクランプスリーブに設けている。更に、補助グリップにおける把持部分の端部に複数の受孔を設け、これらの受孔内に形状や寸法の異なるドリルビットを係合可能としている。保管部の開口部は、回動型のカバーにより開閉する。ドライバビット又はドリルビットの着脱に際して開口部を開放するためには、カバーを所望の受孔との整列位置まで回動させて位置決めする必要がある。
【特許文献１】ドイツ国登録実用新案第８７０３２６５号明細書
【０００７】
特許文献１に記載されている電動ドリルにおいて、保管部を有する補助グリップは、例えばアクセスが困難なワークを加工可能とするために、ドリル本体からの取り外しが必要となる場合がある。しかし、補助グリップを取り外した状態では、作業者が所要の工具ビットを電動工具自体から直接的に調達できず、ドリル装置に設けられる保管部の本来的な機能を発現させることができない。更に、保管部はカバーが回動型であるため、取り扱いが必ずしも容易又は確実ではない。
【０００８】
カバーにおける開口部が例えばドリル装置の作動中に意に反して開放されると、補助グリップ内の保管部内に外部から切粉等の異物が侵入する懸念がある。このような異物は、工具ビットを汚染するのみならず、保管部に対するカバーの開閉が経時的に困難となる場合もある。
【発明の開示】
【発明が解決しようとする課題】
【０００９】
本発明の課題は、従来技術における上記の欠点を解消すると共に、簡単な操作により工具ビットの保管部を確実に開閉可能とした手持式電動工具を提案することにある。
【課題を解決するための手段】
【００１０】
この課題を解決するため、本発明による手持式電動工具は、駆動部からグリップを側方に突出させたハウジングと、使用対象の工具ビットを選択的に把持するビットホルダと、複数の工具ビットを電動工具に対して着脱可能に保管する保管部とを具え、グリップと略平行に駆動部からブリッジを側方に突出させ、該ブリッジ内に前記保管部を形成すると共に、該保管部を開閉するための少なくとも１個のカバーをブリッジに沿って摺動可能に配置し、該カバーの一端位置で保管部を外部から閉鎖し、他端位置で保管部を外部に開放することを特徴とするものである。
【００１１】
本発明によれば、ブリッジに対して摺動可能に配置したカバーにより、保管部を簡単な操作で開閉可能とすると共に、保管部に対して工具ビットを容易かつ確実に着脱することが可能である。加えて、電動工具の作動中に生じる振動等により工具ビットが意に反して保管部から脱落する事態は、カバーにより確実に回避可能である。
【００１２】
更に、保管部がカバーにより完全に閉鎖されるため、保管部又はその内部に収容された工具ビットが汚染されることはない。
【００１３】
保管部に少なくとも１個の第２凹所を設け、該第２凹所をブリッジの長手方向に対して平行に配置すると共にブリッジの第２側面で開放させるのが好適である。この場合、工具ビットを電動工具の送り方向において側方の保管部から取り出し、又は保管部に装入することができ、保管部に対するアクセス及び操作性の向上が可能である。
【００１４】
保管部は少なくとも１個の第２凹所を具え、この第２凹所をブリッジの長手方向に対して平行に配置すると共に、ブリッジの第２側面で開放させるのが好適である。ブリッジの長手方向に配置される第２凹所は比較的長い形状に形成することができ、通常の工具ビットは勿論、延長部を有する工具ビットやビットホルダ等の長い工具関連部品を保管部に収容することも可能である。
【００１５】
カバーを、ブリッジの第１側面及び第２側面にそれぞれ配置した第１カバー部材及び第２カバー部材で構成し、両カバー部材をブリッジにより個別的に摺動ガイドするのが好適である。工具ビット又はその他の工具素子の取り出し又は装入のため、保管部は必要なときに一側で開放することができ、その際に保管部の他の部分は閉鎖されているため、収容されている工具ビット又は工具関連部品の脱落や異物の侵入を防止することができる。更に、カバーは二部分構造とされているため、組立てが容易である。
【００１６】
少なくとも１個の凹所にクランプ手段を配置するのが好適である。この場合、保管部の開放状態においても工具ビット又は工具関連部品が誤っても保管部から脱落することが確実に防止可能である。また、クランプ手段を適切に設計することによりクランプ力が最適化され、工具ビットが過大な労力を要せずに容易に取り出し可能となる。すなわち、作動中の本来的な脱落防止がカバーにより達成されるからである。
【００１７】
特に好適な実施形態においては、カバーに少なくとも１個の係止手段を配置し、該係止手段は、閉鎖位置及び／又は開放位置において、ブリッジに配置されている少なくとも１個の対応係止手段に対して係止可能とする。このような係止手段により、工具ビットの取り出しに際してカバーを確実に開放位置で保持することが可能となり、工具ビットのスムーズな着脱が可能である。また、係止手段により、作動中に生じる振動等に起因するカバーの不所望な開放を確実に防ぐことができる。
【発明を実施するための最良の形態】
【００１８】
以下、本発明を図示の実施形態について更に具体的に説明する。
【００１９】
図１に例示した手持式電動工具２はねじドリルであり、そのハウジング４が左側ハーフＬＨ及び右側ハーフＲＨで構成されている。ハウジング４は、モータ及び減速歯車機構等を収めた駆動部６と、その一側から突出するグリップ８及びブリッジ１０と、バッテリ接続部１２とに区分される。バッテリ接続部１２は、バッテリパック１４を着脱可能に接続・固定するものである。
【００２０】
グリップ８に電動工具２の作動スイッチＳを配置する。これにより作業者は、電動工具２をグリップ８において片手で保持した状態で、その手で作動スイッチＳを同時に操作して電動工具２の作動を開始又は停止することができる。
【００２１】
ブリッジ１０は、電動工具２の送り方向Ａに見てグリップ８よりも前方位置で、グリップ８と略平行に配置する。ブリッジ１０は、グリップ８に対して補助的な支持アームとして機能し、バッテリ接続部１２に固定されるバッテリパック１４を好適な重量バランスをもって支持するものである。なお、ブリッジ１０を送り方向Ａにおいてグリップ８の前方に対向配置することにより、作業者の手を不測の傷害等から保護することができる。
【００２２】
ブリッジ１０は、バッテリパック１４に隣接する端部領域内に保管部１６を有する。保管部１６内には、ビットホルダ等の長い工具関連部品１８や、形状・寸法の異なるスクリュービット又はドリルビット等の複数の工具ビット２０を保管する。各工具ビット２０又は工具関連部品１８は、電動工具２の特定の用途に対応して選択され、送り方向Ａで電動工具２の前端に配置したビットホルダ２２により把持するものである。
【００２３】
更に、ブリッジ１０にはカバー２４を摺動可能に配置する。カバー２４は、ブリッジ１０の左側面２８に沿って変位可能な第１カバー部材２６と、右側面３２に沿って変位可能な第２カバー部材３０とを具える。これらの側面２８、３２は、ブリッジ１０を送り方向Ａに対して直角方向に限定するものである。
【００２４】
図２に示すハウジング４の左側ハーフＬＨは、ブリッヂ１０の左側面２８を含んでいる。図示のように、保管部１６は複数の第１凹所３４を有する。第１凹所３４は、送り方向Ａ及びブリッジ１０の長手方向に対して直角に配置され、第１側面２８において開放する。第１凹所３４内には、それぞれ工具ビット２０の装着端部３６を装入可能である。
【００２５】
図２に示すように、第１カバー部材２６は略Ｕ字断面形状を有する。そのＵ字の両端に相当する縁部３８で、第１カバー部材２６はグリップ領域４０を有する。第１カバー部材２６は、グリップ領域４０において一方のガイドスリット４２（図１参照）に係合する。ガイドスリット４２は、送り方向Ａから見て、ブリッジ１０の前側４４及び後側４６に形成されている。第１カバー部材２６はハウジング４の左側ハーフＬＨにより保持され、ガイドスリット４２に沿って変位可能にブリッジ１０で案内される。これに対応して、第２カバー部材３０はハウジング４の右側ハーフＲＨにより変位可能に保持される。両カバー部材２６，３０は、互いに独立してそれぞれ左側及び右側ハーフＬＨ，ＲＨで案内される。したがって、例えば一方のカバー部材２６，３０を開放位置まで移動させ、他方のカバー部材３０，２６を閉鎖位置に止めることが可能である。別の実施形態として、両カバー部材２６，３０を係止部材又はねじ締結等により互いに連結することも可能である。カバー２４を一対のカバー部材で構成することにより、その組立てが容易となり、ブリッジ１０に対する移動を安定化させることが可能である。
【００２６】
図３は、図２に示した左側ハーフＬＨの裏面をブリッジ１０の領域内で示している。図１では開放位置にあるカバー２４を示したが、図３では第１カバー部材２６を閉鎖位置で示す。図３から明らかなとおり、第１カバー部材２６は、合計４個の係止凹部で構成される係止手段５０ａ，５０ｂをグリップ領域４０に具える。第１カバー部材２６における駆動部側の端部では、係止ばねで構成される対応係止手段５２が一方の係止手段５０ａ内に突出する。第２カバー部材３０及びハウジング４の右側ハーフＲＨにも同様の係止手段を配置する。
【００２７】
図４は、カバーホルダ１６の断面図である。図示のとおり、各凹所３４にはクランプ手段５４が配置されている。クランプ手段５４は変形可能な壁面５６を具え、この壁面５６は第１凹所３４の第１開口５８に向けてクランプ突部６０を有する。
【００２８】
工具ビット２０を装入すると、工具ビット２０は装着端部３６においてクランプ突部６０に接触すると共に、壁面５６を変形させつつクランプ突部６０を側方に変位させる。工具ビット２０の装着端部３６がクランプ手段５４内に完全に装入されると、クランプ突部６０は装着端部３６の開口側端部を把持して工具ビット２０を第１凹所３４内に保持する。
【００２９】
図４は、ブリッジ１０の長手方向に向けて延在する第２凹所６２の断面も示す。第２凹所６２内には、長い工具関連部品１８を保管する。工具素子１８は第２開口６４を通して着脱可能である。
【００３０】
工具ビット２０又は工具関連部品１８を着脱するために、それぞれカバー部材２６，３０を閉鎖位置から開放位置まで移動させる。その際、ばね形状を有する対応係止手段５２の係止部材がカバー部材２６，３０の駆動部側の係止手段５０ａから解除され、開放位置でバッテリ側の係止手段５０ｂに係止される。
【００３１】
バッテリ側の係止手段５０ｂにより、カバー部材２６，３０は単独で開放位置に保持される。したがって、工具ビット２０又は工具関連部品１８を支障なく保管部１６に装入し又は保管部から取り出すことができる。なお、カバー部材２６，３０の開放位置で工具ビット２０又は工具関連部品１８が誤って保管部１６から脱落する事態は、クランプ手段５４により確実に防止可能である。
【００３２】
所望の工具ビット２０又は工具関連部品１８を取り出し又は装入すると、カバー部材２６，３０は直ちに閉鎖位置まで移動させ、閉鎖位置において係止する。それにより、保管部１６が確実に閉鎖され、電動工具２の作動状態で振動や衝撃が作用する条件下でも、工具ビット２０又は工具素子１８が保管部１６から脱落することはなく、外部から異物が保管部１６に侵入することもない。
【図面の簡単な説明】
【００３３】
【図１】本発明による電動工具を保管部におけるカバーの開放位置で示す斜視図である。
【図２】図１に示した電動工具の左側ハーフをカバーの分離状態で示す斜視図である。
【図３】図２に示した左側ハーフのブリッジ領域における内部を部分的に示す斜視図である。
【図４】保管部領域におけるブリッジの断面図である。
【符号の説明】
【００３４】
２  電動工具
４  ハウジング
６  駆動部
８  グリップ
１０  ブリッジ
１２  バッテリ接続部
１４  バッテリパック
１６  保管部
１８  工具関連部品
２０  工具ビット
２２  ビットホルダ
２４  カバー
２６  第１カバー部材
２８  第１側面
３０  第２カバー部材
３２  第２側面
３４  第１凹所
３６  装着端部
３８  端部
４０  グリップ領域
４２  ガイドスリット
５０ａ，５０ｂ  係止手段
５２  対応係止手段
５４  クランプ手段
５６  壁素子
５８  第１開口
６０  クランプ突部
６２  第２凹所
６４  第２開口
【図１】
2004299050.tif 000003
【図２】
2004299050.tif 000004
【図３】
2004299050.tif 000005
【図４】
2004299050.tif 000006